(57)【要約】      （修正有）【課題】シールドを具えたコネクタの提供。【解決手段】シールド２０を具えたコネクタ１００は、プラスチックケースを具え、プラスチックケースの内部に複数の端子４０が固着され、外部は第１及び第２シールド６０、８０で被覆され、第１シールドに複数のサスペンション弾性片６４が設けられ、これらサスペンション弾性片の自由端がいずれも第１シールド６０内部に向けて折り曲げられ、第２シールド８０にあって各サスペンション弾性片に対応する退縮孔８２が設けられ、第２シールドの底部に下向きに突出する固定ピン８５が設けられている。本考案のシールドを具えたコネクタが対応コネクタと接続される時、第２シールドによる第１シールドに対する緊密な被覆により、シールドの強度が増され、シールドの強度不足による変形失効が防止される。【選択図】図２
0003109294.tif 000002
【実用新案登録請求の範囲】
【請求項１】
プラスチックケース、第１シールド、第２シールドを具え、プラスチックケースが内部に複数の端子を保持し、第１シールドは内部に挿嵌空間が形成され、該プラスチックケースがその内部に挿嵌され、第１シールドに複数のサスペンション弾性片が設けられ、これらサスペンション弾性片の自由端が挿嵌空間に向けて折り曲げられて延伸され、第２シールド内部には挟持空間が形成され、上述の第１シールドがその内部に挟持され、第２シールドにあって、第１シールドのサスペンション弾性片に対応する退縮孔が設けられ、第２シールドの底部に下向きに延伸された少なくとも一つの固定ピンが形成されたことを特徴とする、シールドを具えたコネクタ。
【請求項２】
請求項１記載のシールドを具えたコネクタにおいて、プラスチックケースの外表面に位置決め案内溝が開設され、該位置制限溝の前端は閉じられ、後端は外界と連通し、上述の第１シールドにあって該位置制限溝に対応する位置制限片が設けられ、該位置制限片が下向きに傾斜し該位置制限溝内に嵌止されたことを特徴とする、シールドを具えたコネクタ。
【請求項３】
請求項１記載のシールドを具えたコネクタにおいて、プラスチックケースの前端面に前向きに突出する一対の並列設置された底板が設けられ、この二つの底板の間に位置決め案内溝が設けられ、該位置決め案内溝の後端は閉じられ、前端は外界と連通し、該第１シールドの底壁が下向きに延伸されて位置制限柱が形成され、該位置制限柱が該位置決め案内溝内に対応し挿入されることを特徴とする、シールドを具えたコネクタ。
【請求項４】
請求項１記載のシールドを具えたコネクタにおいて、プラスチックケースの前端面より前向きに舌板が延伸され、舌板に複数の端子溝が開設され、それぞれ上述の端子に対応してそれを収容し、該プラスチックケースの前端面に更に前向きに突出する底板が形成され、該底板が舌板下方に位置し、並びに舌板との間に第１係合溝を形成し、底板上面前端が下向きに凹んで第２係合溝を形成し、且つ第１係合溝の後端が閉じられ、前端は外界及び第２係合溝と連通し、上述の第１シールドの底壁が第１係合溝内に置かれ、上述の第２シールドの底壁が第２係合溝内に置かれることを特徴とする、シールドを具えたコネクタ。
【請求項５】
請求項１記載のシールドを具えたコネクタにおいて、第２シールド両側壁が下向きに延伸されて延伸壁が形成され、上述の固定ピンが各延伸壁の底端の前後両端より下向きに延伸されたことを特徴とする、シールドを具えたコネクタ。
【請求項６】
請求項１記載のシールドを具えたコネクタにおいて、第２シールド両側壁より下向きに延伸壁が延伸され、各延伸壁に係合孔が設けられ、第２シールドの後壁両側の底端近くが前向きに折り曲げられ延伸されて折り曲げ壁が形成され、各折り曲げ壁に外向きに突出する係合ブロックが形成されて該係合孔内に係合することを特徴とする、シールドを具えたコネクタ。
【請求項７】
請求項１記載のシールドを具えたコネクタにおいて、プラスチックケースの両側面後端に切欠きが形成され、該折り曲げ壁が対応する切欠き内に進入することを特徴とする、シールドを具えたコネクタ。
【考案の詳細な説明】
【技術分野】
【０００１】
本考案は一種のデジタルコネクタに係り、特に、シールドを具えたコネクタに関する。
【背景技術】
【０００２】
デジタルコネクタはデジタルエンジニアが経常的に接触する一種の部品であり、その作用は非常に単純であり、即ち回路が遮断されているところ或いは孤立して不通の回路間にあって、コミュニケーションの架け橋となり、電流を流通させて、これにより回路の所定の機能を達成することにある。
【０００３】
よく目にされるデジタルコネクタはいずれもプラスチックケースを具え、内部に複数の端子が収容され、外部がシールドで被覆されている。該シールドは板金部品とされ一体に加工成形され、並びに周知のロック機構により一体に結合され、シールドの上壁、底壁及び両側壁にシールド内部に向けて突出するよう折り曲げられた複数のサスペンション弾性片が設けられている。周知のコネクタが対応するコネクタと接続される時、上述の複数のサスペンション弾性片が対応コネクタのシールドに圧接し、これにより両者間の組合せが完成する。
【０００４】
現在、電源伝送に用いられるほとんどのデジタルコネクタは上述の構造設計を採用している。一般に、電源コネクタ使用時には経常的な抜き差しは不要であるが、信頼性があり強固な機械接続と電気的接続により信号伝送の安定性を確保するため比較的大きな抜き差し力を必要とするものとされている。しかし、上述の周知の電源コネクタ設計は僅かに１層のシールドが設けられているだけであり、強度が引く行く、それと対応コネクタの挿嵌組合せ時に、両者間に発生する比較的大きな挿入力のためにシールドのロック機構が離脱し組合せが解除されてシールドの変形失効が形成され、これにより対応コネクタとの組合せができなくなり、特に、対応コネクタ挿入の瞬間に、突然増大した応力によりシールドに上述の問題が極めて発生しやすくなる。
【考案の開示】
【考案が解決しようとする課題】
【０００５】
本考案の目的は上述の周知の技術の問題に対して、一種のシールドを具えたコネクタを提供し、シールドの強度を増し、これによりそれと対応コネクタの挿嵌組合せ時の、強度不足による変形失効を防止できるようにすることにある。
【０００６】
上述の目的を達成するため、本考案は一種のシールドを具えたコネクタを提供し、それは、プラスチックケース及び第１、第２シールドを具え、プラスチックケースが内部に複数の端子を保持している。第１シールド内部に挿嵌空間が形成され、該プラスチックケースがその内部に挿嵌され、第１シールドに並びに複数のサスペンション弾性片が設けられ、これらサスペンション弾性片の自由端が挿嵌空間に向けて折り曲げられて延伸されている。第２シールド内部には挟持空間が形成され、上述の第１シールドがその内部に挟持され、第２シールドにあって、第１シールドのサスペンション弾性片に対応する退縮孔が設けられ、第２シールドの底部に下向きに延伸された固定ピンが形成されている。
【０００７】
本考案の改良のため、上述のプラスチックケースの外表面に位置制限溝が開設され、該位置制限溝の前端は閉じられ、後端は外界と連通し、上述の第１シールドにあって該位置制限溝に対応する位置制限片が設けられ、該位置制限片は下向きに傾斜し該位置制限溝内に嵌止されるものとされる。
【０００８】
本考案の改良のため、上述のプラスチックケースの前端面に前向きに突出する一対の並列設置された底板が設けられ、この二つの底板の間に位置決め案内溝が設けられ、該位置決め案内溝の後端は閉じられ、前端は外界と連通し、該第１シールドの底壁が下向きに延伸されて位置制限柱が形成され、該位置制限柱が該位置決め案内溝内に対応し挿入されるものとされる。
【０００９】
本考案の改良のため、上述のプラスチックケースの前端面より前向きに舌板が延伸され、舌板に複数の端子溝が開設され、それぞれ上述の端子に対応してそれを収容し、該プラスチックケースの前端面に更に前向きに突出する底板が形成され、該底板が舌板下方に位置し、並びに舌板との間に第１係合溝を形成し、底板上面前端が下向きに凹んで第２係合溝を形成し、且つ第１係合溝の後端が閉じられ、前端は外界及び第２係合溝と連通し、上述の第１シールドの底壁が第１係合溝内に置かれ、上述の第２シールドの底壁が第２係合溝内に置かれるものとされる。
【００１０】
本考案の改良のため、上述の第２シールド両側壁が下向きに延伸されて延伸壁が形成され、上述の固定ピンが各延伸壁の底端の前後両端より下向きに延伸されたものとされる。
【００１１】
本考案の改良のため、上述の第２シールド両側壁より下向きに延伸壁が延伸され、各延伸壁に係合孔が設けられ、第２シールドの後壁両側の底端近くが前向きに折り曲げられ延伸されて折り曲げ壁が形成され、各折り曲げ壁に外向きに突出する係合ブロックが形成されて該係合孔内に係合するものとされる。
【００１２】
本考案の改良のため、プラスチックケースの両側面後端に切欠きが形成され、該折り曲げ壁が対応する切欠き内に進入するものとされる。
【課題を解決するための手段】
【００１３】
請求項１の考案は、プラスチックケース、第１シールド、第２シールドを具え、プラスチックケースが内部に複数の端子を保持し、第１シールドは内部に挿嵌空間が形成され、該プラスチックケースがその内部に挿嵌され、第１シールドに複数のサスペンション弾性片が設けられ、これらサスペンション弾性片の自由端が挿嵌空間に向けて折り曲げられて延伸され、第２シールド内部には挟持空間が形成され、上述の第１シールドがその内部に挟持され、第２シールドにあって、第１シールドのサスペンション弾性片に対応する退縮孔が設けられ、第２シールドの底部に下向きに延伸された少なくとも一つの固定ピンが形成されたことを特徴とする、シールドを具えたコネクタとしている。
請求項２の考案は、請求項１記載のシールドを具えたコネクタにおいて、プラスチックケースの外表面に位置決め案内溝が開設され、該位置制限溝の前端は閉じられ、後端は外界と連通し、上述の第１シールドにあって該位置制限溝に対応する位置制限片が設けられ、該位置制限片が下向きに傾斜し該位置制限溝内に嵌止されたことを特徴とする、シールドを具えたコネクタとしている。
請求項３の考案は、請求項１記載のシールドを具えたコネクタにおいて、プラスチックケースの前端面に前向きに突出する一対の並列設置された底板が設けられ、この二つの底板の間に位置決め案内溝が設けられ、該位置決め案内溝の後端は閉じられ、前端は外界と連通し、該第１シールドの底壁が下向きに延伸されて位置制限柱が形成され、該位置制限柱が該位置決め案内溝内に対応し挿入されることを特徴とする、シールドを具えたコネクタとしている。
請求項４の考案は、請求項１記載のシールドを具えたコネクタにおいて、プラスチックケースの前端面より前向きに舌板が延伸され、舌板に複数の端子溝が開設され、それぞれ上述の端子に対応してそれを収容し、該プラスチックケースの前端面に更に前向きに突出する底板が形成され、該底板が舌板下方に位置し、並びに舌板との間に第１係合溝を形成し、底板上面前端が下向きに凹んで第２係合溝を形成し、且つ第１係合溝の後端が閉じられ、前端は外界及び第２係合溝と連通し、上述の第１シールドの底壁が第１係合溝内に置かれ、上述の第２シールドの底壁が第２係合溝内に置かれることを特徴とする、シールドを具えたコネクタとしている。
請求項５の考案は、請求項１記載のシールドを具えたコネクタにおいて、第２シールド両側壁が下向きに延伸されて延伸壁が形成され、上述の固定ピンが各延伸壁の底端の前後両端より下向きに延伸されたことを特徴とする、シールドを具えたコネクタとしている。
請求項６の考案は、請求項１記載のシールドを具えたコネクタにおいて、第２シールド両側壁より下向きに延伸壁が延伸され、各延伸壁に係合孔が設けられ、第２シールドの後壁両側の底端近くが前向きに折り曲げられ延伸されて折り曲げ壁が形成され、各折り曲げ壁に外向きに突出する係合ブロックが形成されて該係合孔内に係合することを特徴とする、シールドを具えたコネクタとしている。
請求項７の考案は、請求項１記載のシールドを具えたコネクタにおいて、プラスチックケースの両側面後端に切欠きが形成され、該折り曲げ壁が対応する切欠き内に進入することを特徴とする、シールドを具えたコネクタとしている。
【考案の効果】
【００１４】
本考案のシールドを具えたコネクタは第１シールドと緊密に第１シールド外部を被覆する第２シールドで組成されたシールド設計を具え、明らかにシールドケースの強度を増すことができ、対応コネクタと接続する過程で、大きな抜き差し力に耐えることができ変形失効を発生しないものとされる。このほか、第２シールドの後壁両側の係合ブロックが外向きに突出して両側壁の対応する係合孔内に係合し、両側壁の固定ピンが外部基板に挿入される時、折り曲げ壁の外向きの張開及び延伸壁の内向きの係止により、係合ブロックが終始係合孔内に係合し、これにより第２シールドが終始信頼でき強固な係合状態にあるものとされ、これによりシールドの変形失効が防止される。
【考案を実施するための最良の形態】
【００１５】
図１及び図２に示されるように、シールドを具えたコネクタ１００は、プラスチックケース２０を具え、該プラスチックケース２０の内部に複数の端子４０が固着され、プラスチックケース２０の外部はシールドに被覆され、該シールドはプラスチックケース２０外部を被覆する第１シールド６０及び第１シールド６０外部を被覆する第２シールド８０で組成されている。
【００１６】
図３も併せて参照されたい。プラスチックケース２０の上面に一対の位置制限溝２１が開設され、この一対の位置制限溝２１は上面両側に位置し且つ縦向きに延伸され、その前端は閉じられ、後端は外界と連通している。プラスチックケース２０の前端面より舌板２２及び、舌板２２の下方に位置し且つ並列設置された一対の底板２４が延伸されている。上述の舌板２２に縦向きに複数の端子溝２３が開設されて、対応する端子４０が嵌め止めされる。上述の二つの底板２４の間に位置決め案内溝２６が形成され、位置決め案内溝２６の後端は閉じられ、前端は外界と連通し、上述の底板２４とプラスチックケース２０の舌板２２の間に第１係合溝２７が形成され、別にこれら底板２４の上面前端がさらに下向きに凹んで第２係合溝２８が形成され、第１係合溝２７の後端は閉じられ、前端は外界及び第２係合溝２８と連通する。プラスチックケース２０の両側面後端の底端近い部分にそれぞれ切欠き２５が形成され、第２シールド８０の係止位置決めに供される。
【００１７】
第１シールド６０の内部には挿嵌空間６２が形成され、挿嵌空間６２の前後両端はいずれも外界と連通し、上述のプラスチックケース２０の内部への挿入に供される。第１シールド６０の上壁前端に一対のサスペンション弾性片６４が設けられ、それぞれ前端両側に位置し並びに縦向きに延伸され、上壁後端に一対の位置制限片６６が設けられて上述のサスペンション弾性片６４の位置に対応し、並びに下向きに傾斜し挿嵌空間６２内に進入する。第１シールド６０の底壁後端は開放され、底壁前端にも一対のサスペンション弾性片６４が設けられ、底壁後端のほぼ中部に下向きに垂直に折り曲げられ延伸された位置制限柱６８が設けられている。第１シールド６０の両側壁にもそれぞれサスペンション弾性片６４が設けられているが、ただしその長さは上壁及び底壁のサスペンション弾性片６４より僅かに長い。これらサスペンション弾性片６４の自由端はいずれも挿嵌空間６２に向けて折り曲げられて突出し、対応コネクタ（図示せず）のシールドの対応壁面に圧接しそれを挟持するのに用いられ、これにより二つのコネクタ間の組合せが完成する。
【００１８】
図１と図４に示されるように、第２シールド８０の形状は第１シールド６０に対応し、内部に挟持空間８１が形成され、挟持空間８１の前端は外界と連通し、後端は組合せ後に第２シールド８０の後壁により封鎖されて、第１シールド６０の挟持、嵌合に供される。第２シールド８０の上壁、底壁及び両側壁に第１シールド６０の各サスペンション弾性片６４の自由端に対応する複数の退縮孔８２が開設されて、サスペンション弾性片６４が対応コネクタのシールドを圧接挟持する時の退縮空間を提供する。第２シールド８０の底壁後端は開放され、両側壁後端に下向きに延伸された延伸壁８３が設けられ、各延伸壁８３の後端に係合孔８４が開設され、延伸壁８３の底端前後両端に下向きに延伸された固定ピン８５が設けられ、本考案のシールドを具えたコネクタ１００の外部基板（図示せず）への固定に供される。第２シールド８０の後壁は一対の連接片８６で上壁と一体に接続され、組立前に、図４に示されるように該連接片８６は上壁と平行であるが、組立後には図３に示されるように、上壁と垂直に折り曲げられる。後壁の両側の底端近くは前向きに折り曲げられて延伸されて折り曲げ壁８７が設けられ、各折り曲げ壁８７に外向きに突出する係合ブロック８８が設けられている。
【００１９】
組立時には、複数の端子４０がプラスチックケース２０の対応する端子溝２３内に嵌止され、その後、プラスチックケース２０がインナーシールド６０の挿嵌空間６２の位置に合わされ、並びに後ろ向きにインナーシールド６０が押動され、このとき、インナーシールド６０の位置制限片６６はプラスチックケース２０の上壁に沿ってスライドし並びに位置制限溝２１内に嵌入し、これによりインナーシールド６０のプラスチックケース２０に対する前向き移動が制限され、位置制限柱６８及びインナーシールド６０の底壁がプラスチックケース２０の位置決め案内溝２６及び第１係合溝２７内に対応して置かれ、これによりインナーシールド６０のプラスチックケース２０に対する後ろ向き運動が制限される。続いて、インナーシールド６０がアウターシールド８０の挟持空間８１に位置を合わされ、並びに後ろ向きにアウターシールド８０に押動され、このとき、アウターシールド８０の内壁面が緊密にインナーシールド６０の外壁面に当接してスライドし、アウターシールド８０の底壁がプラスチックケース２０の第２係合溝２８内に置かれ、これによりアウターシールド８０のプラスチックケース２０に対する後ろ向き運動が制限される。最後に、アウターシールド８０の後壁が下向きに折り曲げられ、各折り曲げ壁８７がプラスチックケース２０の切欠き２５内に対応し挿入され、このとき、折り曲げ壁８７の外壁面が延伸壁８３の内壁面に当接し、折り曲げ壁８７の係合ブロック８８が外向きに延伸壁８３の係合孔８４内に係合し、これによりアウターシールド８０のプラスチックケース２０に対する前向きの運動が制限される。
【００２０】
本考案のシールドを具えたコネクタ１００は、第１シールド６０及び緊密に第１シールド６０外部を被覆する第２シールド８０で組成されたシールド設計により、明らかにシールドの強度が増され、それが対応コネクタとの組合せの過程で比較的大きな抜き差し力に耐えるものとされ、変形失効を発生しない。これと共に、上述の第２シールド８０の後壁両側の係合ブロック８８が外向きに突出して対応する係合孔８４内に係合し、両側壁の固定ピン８５が外部基板に挿入される時、折り曲げ壁８７の外向きの張開と延伸壁８３の内向きの係止により係合ブロック８８が始終係合孔８４内に係合し、これにより第２シールド８０が終始信頼でき、強固な係合状態にあり、これによりシールドの変形失効が防止される。
【図面の簡単な説明】
【００２１】
【図１】本考案のコネクタの立体組合せ図である。
【図２】本考案のコネクタの立体分解図である。
【図３】本考案のコネクタのもう一つの立体分解図である。
【図４】本考案の第２シールドの組合せ前の立体図である。
【符号の説明】
【００２２】
１００  コネクタ
２０  シールド                                ２１  位置制限溝
２２  舌板                                    ２３  端子溝
２４  底板                                    ２５  切欠き
２６  位置決め案内溝                          ２７  第１係合溝
２８  第２係合溝                              ４０  端子
６０  第１シールド                            ６２  挿嵌空間
６４  サスペンション弾性片                    ６６  位置制限片
６８  位置制限柱                              ８０  第２シールド
８１  挟持空間                                ８２  退縮孔
８３  延伸壁                                  ８４  係合孔
８５  固定ピン                                ８６  連接片
８７  折り曲げ壁                              ８８  係合ブロック
【図１】
0003109294.tif 000003
【図２】
0003109294.tif 000004
【図３】
0003109294.tif 000005
【図４】
0003109294.tif 000006